(57)【要約】      （修正有）【課題】既存の絞りしごき缶の成形装置（ＤＩ缶成形装置）の成形ダイの配置を変更して「樹脂被覆絞りしごき缶」を成形する場合に、ラムの振動を抑制し、安定した缶胴の成形とストリッピングを実現することが出来る飲料缶の成型方法とその装置を提供する。【解決手段】ラム２の振動が好適に抑制されるように、「２連ダイ」５とフィンガ８との間にガイドリング１０を配設する。なお、ガイドリング１０のランド内径Ｄgについては、２連ダイの後段５bのランド内径Ｄsとの関係が、０.０１５≦Ｄg−Ｄs≦０.３０［mm］（即ち、０.０１５＋Ｄs≦Ｄg≦０.５０＋Ｄs［mm］）の範囲に設定する。また、ガイドリング１０の取り付け位置については、「２連ダイ」５とフィンガ８との間であって、「２連ダイ」５の最後尾ランド部出口から「ガイドリング１０の入口端面」に到る距離が缶ハイト以下となる位置とする。【選択図】図１
2010075932.tif 000002
【特許請求の範囲】
【請求項１】
カップ状に成形された缶材を、ブランクホルダに被せてリドローダイに押しつけ、カップ軸線上を成形パンチが移動することで、再絞り成形を行った後、続いて、２連のしごき用の成形「２連」ダイを通過させることにより、前記缶材を所望の板厚の缶胴に成形し、最後にフィンガによって該缶胴をパンチから抜き取る飲料缶の成形方法であって、
前記２連ダイと前記フィンガとの間に、前記成形パンチを駆動する連結ロッド（ラム）の振動を抑制する環状のガイドリングを設けることを特徴とする飲料缶の成形方法。
【請求項２】
前記ガイドリングの形状は、内面側に、軸心と平行な円筒面であるランド部、前記ランド部の前後にテーパ状の、アプローチ部と逃げ部を有し、更にガイドリングの両端面からアプローチ部および逃げ部に至る各繋ぎのＲ部からなり、前記の環状ガイドリングのランド内径Ｄgと、前記２連ダイ後段のランド内径Ｄsとの関係が
０．０１５≦Ｄg−Ｄs≦０．５０  [mm]
である請求項１に記載の飲料缶の成形方法。
【請求項３】
前記ガイドリングは、前記２連ダイを通過した後の前記缶材の軸方向の長さをBoH（缶ハイト）とする時、「該ガイドリングのランド入口端面」と「前記２連ダイの最後尾ランド部出口」との距離ＬBが缶ハイトBoH以下となるように、前記２連ダイと前記フィンガとの間に設ける請求項１又は２に記載の飲料缶の成形方法。
【請求項４】
カップ状に成形された缶材を、ブランクホルダに被せてリドローダイに押しつけ、カップ軸線上を成形パンチが移動することで、再絞り成形を行った後、続いて、２連のしごき用の成形「２連」ダイを通過させることにより、前記缶材を所望の板厚の缶胴に成形し、最後にフィンガによって該缶胴をパンチから抜き取る飲料缶成形装置であって、
前記２連ダイと前記フィンガとの間に、前記成形パンチを軸方向に駆動する連結ロッド（ラム）の振動を抑制する環状のガイドリングが設けられていることを特徴とする飲料缶成形装置。
【請求項５】
前記環状ガイドリングのランド内径Ｄgと、前記２連ダイ後段のランド内径Ｄsとの関係が
０．０１５≦Ｄg−Ｄs≦０．５０  [mm]
である請求項４に記載の飲料缶成形装置。
【請求項６】
前記ガイドリングは、前記２連ダイを通過した後の前記缶材の軸方向の長さをBoH（缶ハイト）とする時、「該ガイドリングのランド入口端面」と「前記２連ダイの最後尾ランド部出口」との距離ＬBが缶ハイトBoH以下となるように、前記２連ダイと前記フィンガとの間に設けられている請求項４又は５に記載の飲料缶成形装置。
【発明の詳細な説明】
【技術分野】
【０００１】
本発明は、飲料缶の成形方法とその装置、特に既存の絞りしごき缶の成形装置（ＤＩ缶成形装置）の成形ダイの配置を変更して「樹脂被覆絞りしごき缶」を成形する場合に、ラムの振動を抑制し、安定した缶胴の成形とストリッピングを実現することが出来る飲料缶の成型方法とその装置に関するものである。
【背景技術】
【０００２】
飲料缶用（２ピース缶）の成型方法としてはＤＩ（Ｄｒａｗｉｎｇ＆Ｉｒｏｎｉｎｇ）法が知られている。図７（ａ）はそのＤＩ法の概略を示し、同（ｂ）は、本発明の「樹脂被覆絞りしごき缶」の成型法を示している。図７（ａ）と図７（ｂ）の相違点は、２点ある。
第１点は、成形ダイの配列である。図７（ａ）では、３個のダイが間隔をあけて配置されている。一方、図７（ｂ）では２個のダイが並んで配置されている。
第２点は、潤滑・冷却剤（クーラント）の使用有無についてである。図７（ａ）では、しごき成形時に潤滑剤を付与するためと、しごき加工で発生する摩擦熱を放出するために、潤滑・冷却剤（クーラント）を使用するが、図７（ｂ）では潤滑・冷却剤（クーラント）は使用しない。
ＤＩ法は、缶材を浅いカップ状に絞り成形した後、成形装置のブランクホルダに装着し、リドローダイに缶材を押圧しながら、パンチを移動させて、再絞り加工する。（より深いカップ状になる。）その後、さらにパンチが移動し、３個の成形ダイの中を通過することで、しごき加工が行われ、カップの側壁板厚は徐々に薄くなり、ＤＩ缶が完成する。本発明の「樹脂被覆絞りしごき缶」の成型法は、上記とほぼ同様である。樹脂被覆した缶材を浅いカップ状に絞り成形した後、成形装置のブランクホルダに装着し、リドローダイに缶材を押圧しながらパンチを移動させて、再絞り加工する。（より深いカップ状になる。）その後、さらにパンチが移動し、２個連接した「２連ダイ」の中を通過することで、しごき加工が行われ、カップ状の缶材の側壁板厚は、この２連ダイを通過することで一気に薄くなり、「樹脂被覆絞りしごき缶」が完成する。
ＤＩ法は、しごき加工をする際、缶とダイの間の潤滑のためと、摩擦による発熱を吸収するため、潤滑・冷却剤（クーラント）が必要であり、缶やダイに直接、スプレーされる。一方、「樹脂被覆絞りしごき缶」の成型法では、しごき加工する際、樹脂被覆が潤滑剤になる。また摩擦による発熱を吸収するために、成型ダイと「しごき成形パンチ」を強制的に冷却しているため、上記の潤滑・冷却剤（クーラント）を必要としない。従って廃水処理が不要であり、又内面塗装も不要なため、塗装焼き付け時の排気処理も不要となる。つまり、「樹脂被覆絞りしごき缶」は優れた環境性、省資源性、安全性を併せ持ったＬＣＡ（ Life Cycle Assessment ）に優れた容器である。
再び図７に戻り、ＤＩ法と「樹脂被覆絞りしごき缶」の成型法の構成を見てみると、両者の主な相違点は、成形ダイの数と配置である（他の相違点として、パンチを強制冷却する点が挙げられ、種々の冷却方法に関する特許出願がなされている。関連する出願としては、特開2006-55860号公報、特開2005-288482号公報等があるが、ここでは触れないことにする。）。このことは、ＤＩ法と「樹脂被覆絞りしごき缶」の成型法の部品構成は殆ど同じであり、ＤＩ缶の成形装置を「樹脂被覆絞りしごき缶」の成型装置に流用することが出来ることを示している。これにより設備投資を少なくして、「樹脂被覆絞りしごき缶」の製造ラインを構築することが可能となる。
ところで、上記「樹脂被覆絞りしごき缶」は、主に缶径２１１の飲料缶に用いられている。最近では、缶径２０２の飲料缶に対しても「樹脂被覆絞りしごき缶」が用いられるようになってきている。また、上記成形用のパンチは、「ラム」と呼ばれるロッドに結合されて所定の区間を往復運動している。従って、パンチの外径、ひいてはラムの外径は成形される缶の内径に応じて変わることになる。缶径２０２のラムは、缶径２１１のラムより外径において小さくなっている。
図８は、従来の飲料缶成形装置５００を示す要部断面説明図である。
この飲料缶成形装置５００は、いわゆるDI缶用の成形装置を「樹脂被覆絞りしごき缶」用の成形装置に改修したものである。
その構成は、カップ状の缶材Ｃをホールドして、カップの底部をリドローダイ４に押圧するブランクホルダ３と、カップ中心軸上を移動することにより、リドローダイ４とブランクホルダ３との契合位置を通過する時に再絞り加工を施し、更に２連ダイを通過する時にしごき加工を施す「しごきパンチ」１と、「しごきパンチ」１に連結して、「しごきパンチ」１を軸方向に往復駆動させる、ラム２と、「しごきパンチ」１と嵌合し缶材Ｃを固定・支持するＨＤＲ（ホールドダウンリング）６と、缶材Ｃの底部をドーム状に成形するドーム成形パンチ７と、所定の成形を終えた缶材Ｃを「しごきパンチ」１から抜き取るフィンガ８と、空きスロット９とを具備して構成されている。
この飲料缶成形装置５００は、ＤＩ缶用の成型装置に対し、３個の成形ダイを取り外し、１組の２連ダイを組み付けたものである。
従って、取り外されたダイの箇所は、空きスロット９（リング状の空洞）を成している。また、ラム２は、クランクを回転させることにより往復駆動される。従って、ラム２の位置とクランク角度θは１対１に対応し、ラム２の位置（位相）はクランク角度θに対応させることが可能となる。例えば、図中のラムの位置（位相）は、クランク角度θで９９°に相当し、これは缶材Ｃが「２連ダイ」５による拘束から解放される時、すなわち「２連ダイ」５による缶材Ｃに対する「しごき加工」が完了した時である。また、例えば、クランク角度θが１６６°の時は、図９に示すように、「しごきパンチ」１がＨＤＲ（ホールドダウンリング）６に嵌合する時、すなわち「ドーム成形パンチ」７が「しごきパンチ」１に嵌合することにより缶材Ｃの底部がドーム状に成形され始める時である。また、例えば、クランク角度θが１９８°の時は、図１０に示すように、底部のドーム成形が完了した後、「しごきパンチ」１が戻り行程をたどりながら缶材Ｃがフィンガ８に係止され、「しごきパンチ」１から抜き取られる時、いわゆる「ストリッピング」開始時である。
また、上記「２連ダイ」５は、「しごき加工」用の成形ダイとして、前段ダイと後段ダイが連設された構成を成している（例えば、特許文献１を参照。）。
【０００３】
【特許文献１】特開２００６−６８７７９号公報
【発明の開示】
【発明が解決しようとする課題】
【０００４】
図１１は、缶径２０２のラム２が所定の区間を往復運動した時のラム２の振幅（軸方向と直交する方向の振れ）とクランク角度θとの関係を示すグラフである。なお、計測箇所（計測センサの取り付け位置）はクランク角度θで９０°の「しごきパンチ」１の先端部近傍の成形装置側である。このグラフから分かるように、ラム２が大きく振動するのは  クランク角度θでθ≧１９８°のストリッピング時以降である。
しかし、ラム２の振動は１次振動だけに終わらず、２次、３次、４次、５次と持続することがグラフから分かる。このラムの持続振動は、成形された缶胴（缶材Ｃ）を「しごきパンチ」１から抜き取るフィンガ８の摩耗を早め、或いはラム２が「２連ダイ」５に接触してダイ表面を疵付ける等の問題を引き起こす。また、同様な事象は、缶径２１１用ラムについても起こっている。
そこで、本発明は、上記実情に鑑み創案されたものであって、その目的は、既存の絞りしごき缶の成形装置（ＤＩ缶成形装置）の成形ダイの配置を変更して「樹脂被覆絞りしごき缶」を成形する場合に、ラムの振動を抑制し、安定した缶胴の成形とストリッピングを実現することが出来る飲料缶の成型方法とその装置を提供することである。
【課題を解決するための手段】
【０００５】
前記目的を達成するために、請求項１に記載の飲料缶の成形方法は、カップ状に成形された缶材を、ブランクホルダに被せてリドローダイに押しつけ、カップ軸線上を成形パンチが移動することで、再絞り成形を行った後、続いて、２連のしごき用の成形「２連」ダイを通過させることにより、前記缶材を所望の板厚の缶胴に成形し、最後にフィンガによって該缶胴をパンチから抜き取る飲料缶の成形方法であって、
前記２連ダイと前記フィンガとの間に、前記パンチを駆動する連結ロッド（ラム）の振動を抑制する環状のガイドリングを設けることを特徴とする。
上記飲料缶の成形方法では、ガイドリングを上記位置に設けることにより、既存の絞りしごき缶の成形装置（ＤＩ缶成形装置）の成形ダイの配置を変更して「樹脂被覆絞りしごき缶」を成形する場合であっても、ラムが最も揺れるストリッピング時にラムの振動を好適に抑制することが出来る。
【０００６】
請求項２に記載の飲料缶の成形方法では、前記ガイドリングの形状は、内面側に、軸心と平行な円筒面であるランド部、前記ランド部の前後にテーパ状の、アプローチ部と逃げ部を有し、更にガイドリングの両端面からアプローチ部および逃げ部に至る各繋ぎのＲ部からなり、前記の環状ガイドリングのランド内径Ｄgと、前記２連ダイ後段のランド内径Ｄsとの関係が
０．０１５≦Ｄg−Ｄs≦０．５０  [mm]
であることとした。
上記飲料缶の成形方法では、上記ガイドリングの前記２連ダイ後段に対するクリアランスを上記範囲内に設定することにより、既存の絞りしごき缶の成形装置（ＤＩ缶成形装置）の成形ダイの配置を変更して「樹脂被覆絞りしごき缶」を成形する場合であっても、ストリッピング時のラムの振動を好適に抑制することが出来る。
【０００７】
請求項３に記載の飲料缶の成形方法では、前記ガイドリングは、前記２連ダイを通過した後の前記缶材の軸方向の長さをBoH（缶ハイト）とする時、「該ガイドリングのランド入口端面」と「前記２連ダイの最後尾ランド部出口」との距離ＬBが缶ハイトBoH以下となるように、前記２連ダイと前記フィンガとの間に設けることとした。
上記飲料缶の成形方法では、ガイドリングの取り付け位置に係る上記距離ＬBを缶ハイトBoH以下とすることにより、缶材が２連ダイを過ぎた際にパンチが不規則に変位し、缶材がガイドリングに衝突することを防止する。
【０００８】
前記目的を達成するため、請求項４に記載の飲料缶成形装置は、カップ状に成形された缶材を、ブランクホルダに被せてリドローダイに押しつけ、カップ軸線上を成形パンチが移動することで、再絞り成形を行った後、続いて、２連のしごき用の成形「２連」ダイを通過させることにより、前記缶材を所望の板厚の缶胴に成形し、最後にフィンガによって該缶胴をパンチから抜き取る飲料缶成形装置であって、
前記２連ダイと前記フィンガとの間に、前記成形パンチを軸方向に駆動する連結ロッド（ラム）の振動を抑制する環状のガイドリングが設けられていることを特徴とする。
上記飲料缶成形装置では、上記請求項１に記載の飲料缶の成形方法を好適に実施することが出来る。
【０００９】
請求項５に記載の飲料缶成形装置では、前記環状ガイドリングのランド内径Ｄgと、前記２連ダイ後段のランド内径Ｄsとの関係が
０．０１５≦Ｄg−Ｄs≦０．５０  [mm]
であることとした。
上記飲料缶成形装置では、上記請求項２に記載の飲料缶の成形方法を好適に実施することが出来る。
【００１０】
請求項６に記載の飲料缶成形装置では、前記ガイドリングは、前記２連ダイを通過した後の前記缶材の軸方向の長さをBoH（缶ハイト）とする時、「該ガイドリングのランド入口端面」と「前記２連ダイの最後尾ランド部出口」との距離ＬBが缶ハイトBoH以下となるように、前記２連ダイと前記フィンガとの間に設けられていることとした。
上記飲料缶成形装置では、請求項３に記載の飲料缶の成形方法を好適に実施することが出来る。
【発明の効果】
【００１１】
本発明の飲料缶の成形方法によれば、既存の絞りしごき缶の成形装置（ＤＩ缶成形装置）の成形ダイの配置を変更して「樹脂被覆絞りしごき缶」を成形する場合であっても、ストリッピング時のラムの振動を好適に抑制し、安定して「樹脂被覆絞りしごき缶」を成形することが出来る。特に、缶径２０２の「樹脂被覆絞りしごき缶」を製造する場合であっても、ストリッピング時のラムの振動を好適に抑制し、安定して缶径２０２の「樹脂被覆絞りしごき缶」を成形することが出来る。
また、上記飲料缶の成形方法を具現化する本発明の飲料缶成形装置は、成形中のラムの振動を抑制し、安定した成形性とストリッピング性を実現することが出来る。これにより、高生産性の缶径２０２の「樹脂被覆絞りしごき缶」成形ラインを実現することが出来る。
【発明を実施するための最良の形態】
【００１２】
以下、図に示す実施の形態により本発明をさらに詳細に説明する。なお、これにより本発明が限定されるものではない。
【００１３】
図１は、本発明に係る飲料缶成形装置１００を示す要部断面説明図である。なお、以下の説明では、成形される缶は缶径２０２の飲料缶とする。
この飲料缶成形装置１００は、カップ状の缶材Ｃをホールドして、カップの底部をリドローダイ４に押圧するブランクホルダ３と、カップ中心軸上を移動することにより、リドローダイ４とブランクホルダ３との契合位置を通過する時に再絞り加工を施し、更に２連ダイを通過する時にしごき加工を施す「しごきパンチ」１と、「しごきパンチ」１に連結して、「しごきパンチ」１を軸方向に往復駆動させる、ラム２と、「しごきパンチ」１と嵌合し缶材Ｃを固定・支持するＨＤＲ（ホールドダウンリング）６と、缶材Ｃの底部をドーム状に成形するドーム成形パンチ７と、所定の成形を終えた缶材Ｃを「しごきパンチ」１から抜き取るフィンガ８と、ガイドリング１０とを具備して構成される。
この飲料缶成形装置１００は、樹脂被覆した缶材Ｃを浅いカップ状に絞り成形した後、成形装置のブランクホルダ３に装着し、「しごきパンチ」１を移動させて缶材Ｃをリドローダイ４に押圧しながら、再絞り加工し、より深いカップ状にする。続いて、成形パンチ１が移動し、２個連接した２連ダイ５の中を通過することで、しごき加工が行われ、カップ状の缶材Ｃの側壁板厚は一気に薄くなり、「樹脂被覆絞りしごき缶」が完成する。
缶材Ｃのドーム成形が完了後、「しごきパンチ」１は、行き行程とは逆の戻り行程をたどり、缶胴（缶材Ｃ）の開口端部がフィンガ８に係止されて、缶胴が「しごきパンチ」１から抜き取られる。「しごきパンチ」１の外周面には、ＨＤＲ６と嵌合する型が形成され、その内周面にはドーム成形パンチ７と嵌合する型が形成されている。なお、この飲料缶成形装置１００と、従来の飲料缶成形装置５００との大きな違いは、この飲料缶成形装置１００はラム２の振動を抑制するガイドリング１０を備えていることである。詳細については後述するが、このガイドリング１０を設けることにより、ストリッピング時のラムの振動を好適に抑制することが出来る。
【００１４】
ガイドリング１０の内径については、２連ダイの後段の内径よりも、大きくすることが必要条件となる。ガイドリング１０の内径が、２連ダイの後段の内径よりも小さい場合、缶材外表面がガイドリング１０によって圧接され、その結果、樹脂が剥がされ、最悪の場合、缶外壁に疵が付くことになる。逆に、ガイドリング１０の内径が２連ダイの後段の内径よりも大き過ぎる場合は、ガイドリング１０のラム２に対する振動抑制力が減少することになる。また、しごき加工後の缶材Ｃのメタルと被覆樹脂のスプリングバック等を検討した結果、環状のガイドリング１０の内径Ｄgと、２連ダイの後段５bの内径Ｄsとの関係が、
０.０１５≦Ｄg−Ｄs≦０.５０［mm］（即ち、０.０１５＋Ｄs≦Ｄg≦０.５０＋Ｄs［mm］）
である時、ストリッピング時のラム２の振動を好適に抑制することが分かった。
【００１５】
「２連ダイ」５は、内径が異なる２つの前段ダイ５aと後段ダイ５bが連設されて成り、各々のダイは、軸方向に対し縮径するテーパ面に形成された「アプローチ部」、径が一定の平坦面に形成された「ランド部」、ならびに軸方向に対し拡径するテーパ面に形成された「逃げ部」とから成る。前段ダイ５aのランド部内径は、後段ダイ５bのランド部内径よりも大きくなっている。また、前段ダイ５aと「しごきパンチ」１とのクリアランスについては、缶径２０２の場合、例えば片側で０.１２mmである。後段ダイ５bと「しごきパンチ」１とのクリアランスについては、例えば０.０７８mmである。尚、前段ダイ５aの前に、前段ダイ５aより僅かに内径の大きいダイを設置し、缶表面の凹凸を少なくしてから、加工する平滑ダイをセットしても良い。同様に、ストリッピング性を改良するために、後段ダイ５ｂより僅かに内径の小さいダイを後段ダイ５ｂの後に設置しても良い。因って、しごき加工用のダイは「２連ダイ」にこだわらず、「３連ダイ」「４連ダイ」を採用しても、ガイドリングは振れ止めの効果を発揮し、飲料缶の成形方法を好適に実施することが出来る。
【００１６】
ＨＤＲ６は、その内周面に「しごきパンチ」１の外周面に嵌合する型が形成されている。
【００１７】
ドーム成形パンチ７は、「しごきパンチ」１の内周面に形成された型に嵌合して缶材Ｃの底部をドーム状に成形する。
【００１８】
フィンガ８は、予め閉じる方向に付勢されたプレートで、円周上等間隔に配置されている。従って、缶材Ｃは、ドーム成形パンチ７に近接する方向（行き方向）に移動する場合は、フィンガ８に係止されることはないが、缶材Ｃがドーム成形パンチ７から遠ざかる方向（戻り方向）に移動する場合は、フィンガ８に係止され、「しごきパンチ」１がなおも戻り方向を移動することにより、フィンガ８によって缶材Ｃが「しごきパンチ」１の外周面から抜き取られる。
【００１９】
ガイドリング１０は、詳細については図４を参照しながら後述するが、缶材Ｃが「しごきパンチ」１から抜き取られる時のラム２の振動を好適に抑制する。また、缶材Ｃが「２連ダイ」５による「しごき加工」を終えた後は、「しごきパンチ」１を「ドーム成形パンチ」７へスムーズに案内する。
【００２０】
またガイドリング１０の形状は、内面側に、軸心と平行な円筒面であるランド部、前記ランド部の前後に１〜２°程度のテーパ状のアプローチ部を有し、更にガイドリングの端面からアプローチに至る繋ぎの部分を２Ｒ〜３Ｒで仕上げている。
ガイドリング１０の材質は、表面を研磨とラップで鏡面に仕上げるに好適な材質である硬質な材料、例えば、ダイス鋼などの炭素鋼や、超硬合金やセラミックスなどの焼結合金等を使っている。
【００２１】
図２は、図１のＡ部詳細図である。なお、説明の都合上、ラム２はクランク角度θ＝９９°（「しごき加工」が完了した時）に進角させてある。
ガイドリング１０は、「２連ダイ」５の後段ダイ５bの「ランド部出口」（平坦部が終わる基準断面）から、ガイドリング１０のランド入口側端面に到る距離ＬBが缶ハイトBoH以下になるように、後段ダイ5bとフィンガ８との間に設置されている。なお、缶ハイトBoHとは、缶材Ｃが後段ダイ５bを通過した時、すなわち「しごき加工」が完了した時の缶材Ｃの軸方向の長さである。
【００２２】
図３は、図２のＢ部詳細図である。
また、ガイドリング１０の形状は、内面側に、軸心と平行な円筒面であるランド部１２、ランド部１２の前後にテーパ状の、アプローチ部１１と逃げ部１３を有し、更にガイドリングの両端面からアプローチ部および逃げ部に至る各繋ぎのＲ部１４,１５から成る。
【００２３】
このように、距離ＬBが上記缶ハイトBoH以下になるようにガイドリング１０を設置することにより、缶材Ｃが「２連ダイ」５による「しごき加工」を受け終えた後、或いは「しごき加工」を受けている最中に、缶材Ｃの先端部（「しごきパンチ」１）がガイドリング１０の内周面に支持され、「ドーム成形パンチ」７へスムーズに案内されることになる。
【００２４】
図４は、本発明の飲料缶成形装置１００におけるラム２の振幅（軸方向と直交する方向の振れ）とクランク角度θとの関係を示すグラフである。なお、使用されたラム２は、缶径２０２用ラムである。
図１１のグラフと比較すると、ストリッピング時以降（θ≧１９８°）のラム２の振幅は小さくなっていることが分かる。特に、クランク角度θ≧229°では、図５に示すように、「しごきパンチ」１の最外径部がガイドリング１０に拘束されるため、ラム２の振幅は更に小さくなっている。また、この振幅の減衰状態は、図６に示すように、「しごきパンチ」１がガイドリング１０の拘束から解放されるクランク角度θ＝244°まで持続する。
【００２５】
従って、本発明の飲料缶の成形方法によれば、既存のＤＩ缶用の成形装置を使用して「樹脂被覆絞りしごき缶」を成形する場合であっても、ストリッピング時のラムの振動を好適に抑制し、その結果、「樹脂被覆絞りしごき缶」の安定した成形とストリッピングを実現することが出来る。特に、缶径２０２の「樹脂被覆絞りしごき缶」を成形する場合であっても、ストリッピング時のラムの振動を好適に抑制し、安定して缶径２０２の「樹脂被覆絞りしごき缶」を成形することが出来る。
また、上記飲料缶の成形方法を具現化する本発明の飲料缶成形装置１００は、成形中のラムの振動を抑制し、安定した成形性とストリッピング性を実現することが出来る。これにより、本発明の飲料缶成形装置１００を基にした高生産性の缶径２０２の「樹脂被覆絞りしごき缶」成形ラインを実現することが可能となる。
【産業上の利用可能性】
【００２６】
本発明の飲料缶成形装置は、「樹脂被覆絞りしごき缶」の成形装置に好適に適用され得る。
【図面の簡単な説明】
【００２７】
【図１】本発明に係る飲料缶成形装置を示す要部断面説明図である。
【図２】図１のＡ部詳細図である。
【図３】図２のＢ部詳細図である。
【図４】本発明の飲料缶成形装置におけるラムの振幅（軸方向と直交する方向の振れ）とクランク角度との関係を示すグラフである。
【図５】本発明の飲料缶成形装置でのクランク角度θが２２９°における「しごきパンチ」の最外径部がガイドリングに拘束される状態を示す要部断面説明図である。
【図６】本発明の飲料缶成形装置でのクランク角度θが２４４°における「しごきパンチ」がガイドリングの拘束から解放された状態を示す要部断面説明図である。
【図７】DI法とSDI法を示す説明図である。
【図８】従来の飲料缶成形装置でのクランク角度θが９９°におけるラムの位置を示す要部断面説明図である。
【図９】従来の飲料缶成形装置でのクランク角度θが１６６°におけるラムの位置を示す要部断面説明図である。
【図１０】従来の飲料缶成形装置でのクランク角度θが１９８°におけるラムの位置を示す要部断面説明図である。
【図１１】従来の飲料缶成形装置におけるラムの振幅（軸方向と直交する方向の振れ）とクランク角度との関係を示すグラフである。
【符号の説明】
【００２８】
１             しごきパンチ
２             ラム
３             ブランクホルダ
４             リドローダイ
５             ２連ダイ
６             ＨＤＲ（ホールドダウンリング）
７             ドーム成形パンチ
８             フィンガ
９             空きスロット
１０           ガイドリング
１００,５００  飲料缶成形装置
【図１】
2010075932.tif 000003
【図２】
2010075932.tif 000004
【図３】
2010075932.tif 000005
【図５】
2010075932.tif 000006
【図６】
2010075932.tif 000007
【図８】
2010075932.tif 000008
【図９】
2010075932.tif 000009
【図１０】
2010075932.tif 000010
【図４】
2010075932.tif 000011
【図７】
2010075932.tif 000012
【図１１】
2010075932.tif 000013